(57)【要約】第一開放端部を有する第一気体発生部分および第二開放端部を有する気体貯蔵部分（２４）を備える細長い圧力管からなる、エアバッグまたはその他の安全制止装置のための多段階式インフレータ。第一気体発生部分はその中に第一始動体（１６）と第一気体発生エネルギー体（３０）とを有し、上記第一始動体は、上記圧力管の第一開放端部に固定されて上記圧力管を閉じている発火装置本体に取り付けられている。圧力管仕切り（４０）が上記圧力管の第二端部に取り付けられており、上記仕切りはそれを貫通する開口とそれを閉じるために取り付けられた第一破裂板（５０）とを有する。気体貯蔵部分は所定の圧力で不活性気体を有している。あらゆる発火式の第二インフレータが上記圧力管とその第二端部の仕切りとに取り付けられている。第二インフレータは第二始動体とその中に第二気体発生エネルギー体とをもつ筐体を備える。中に開口をもつ閉塞板（６６）が第二エネルギー体と圧力管仕切りとの間に設置されている。第二破裂板（７０）が閉塞板の開口を塞ぐために該閉塞板に取り付けられている。
2004538205.tif 000002
【特許請求の範囲】
【請求項１】
第一開放端部を有する気体発生部分および第二開放端部を有する気体貯蔵部分を備える細長い圧力管と、
上記圧力管の第一開放端部に固定されて上記圧力管を閉じている発火装置本体に取り付けられた第一始動体と上記第一気体発生部分とを内部に備える上記第一気体発生部分と、
貫通した開口部と該開口部を閉じるために該開口部に取り付けられた第一破裂板とを備え、上記圧力管の上記第二端部に取り付けられた圧力管仕切りと、
所定の圧力で不活性気体を内部に含む上記気体貯蔵部分と、
上記第二端部で上記圧力管および上記仕切りに取り付けられたあらゆる発火式の第二インフレータであって、該第二インフレータは、第二始動体と第二気体発生エネルギー体とを内部に含む第二筐体、および上記第二エネルギー体と上記圧力管仕切りとの間に位置する閉塞板を備え、該閉塞板は、貫通した開口部と該開口部を閉じるために該開口部に取り付けられた第二破裂板とを備えているインフレータと、
を含む、エアバッグまたは他の安全制止装置のための多段階式インフレータ。
【請求項２】
上記圧力管は、上記第一気体発生部分と上記気体貯蔵部分とを規定しているへこみを備えている、請求項１に記載のインフレータ。
【請求項３】
上記第一気体発生部分は、上記へこみと係合している支持リングと、該支持リングに隣接して配置され、上記第一エネルギー体に隣接した開口部のある主要部を有する第一粒子吸着部とを内部に備えている、請求項２に記載のインフレータ。
【請求項４】
上記第一粒子吸着部とは反対側の上記第一エネルギー体の側面にある上記第一気体発生部分に配置され、上記始動体と隣接している補助推進薬と、
該補助推進薬、上記第一エネルギー体、上記第一粒子吸着部、および上記支持リングを内部の所定の位置に保持するために、上記気体発生部分の上記圧力管の隣接面と係合している保持クリップと、
を備えている、請求項３に記載のインフレータ。
【請求項５】
破片ふるい網は、上記圧力管仕切りの外端部に固定されていて、上記仕切り開口部と通じている、請求項１に記載のインフレータ。
【請求項６】
上記圧力管、上記仕切り、および上記第二インフレータ筐体は金属から形成されており、該第二インフレータ筐体は、磁気成形によって上記圧力管および上記仕切りに固定されている、請求項１に記載のインフレータ。
【請求項７】
開口部のある第二粒子吸着部は、上記第二エネルギー体と上記閉塞板との間にある上記第二筐体内に配置されている、請求項１に記載のインフレータ。
【請求項８】
上記第二インフレータ筐体は、上記圧力管仕切り開口部と通じ、複数の貫通した排気口を有しているマニホールド部分を備えている、請求項１に記載のインフレータ。
【請求項９】
上記閉塞板は、上記破片ふるい網の外端部と係合しており、上記第二インフレータ筐体は、上記破片ふるい網を取り囲み、該破片ふるい網に通じている複数の排気口を有するマニホールド部分を備えている、請求項５に記載のインフレータ。
【請求項１０】
上記閉塞板穴部は、実質的に上記圧力管仕切り開口部と一直線上に並んでいる、請求項１に記載のインフレータ。
【請求項１１】
上記第二エネルギー体は防湿袋に封入されている、請求項１に記載のインフレータ。
【請求項１２】
上記圧力管仕切りは、上記仕切り開口部と一直線上の貫通した穴部を有する閉塞座金をさらに備えており、上記第一破裂板は、上記閉塞座金穴部と上記仕切り開口部との間に配置されている、請求項１に記載のインフレータ。
【請求項１３】
第一開放端部を有する第一気体発生部分および第二開放端部を有する気体貯蔵部分を規定するためのへこみを中央部付近に備えている細長い圧力管を提供する工程と、
上記第一気体発生部分に第一気体発生エネルギー体を挿入する工程と、
内端部に始動体が取り付けられている発火装置本体を上記圧力管の上記第一開放端部に固定する工程と、
上記第一エネルギー体および上記発火装置本体の組み立ての前、または後、もしくは組み立てと同時に、上記圧力管の第二開放端部に圧力管仕切りを取り付ける工程であって、該圧力管仕切りは、貫通した開口部と、該開口部を閉じるために該開口部に固定された第一破裂板とを備える工程と、
あらゆる発火式の第二インフレータを上記仕切りおよび上記圧力管に固定する工程であって、該第二インフレータは、内部に第二始動体および第二気体発生エネルギー体を有する第二筐体と、上記第二エネルギー体と上記圧力管仕切りとの間に配置された閉塞板とを備えており、該閉塞板は、貫通した穴部と、該穴部を閉じるために該穴部に固定された第二破裂板とを有する工程と、
を含む、エアバッグまたは他の安全制止装置のための多段階式インフレータを形成する方法。
【請求項１４】
上記圧力管および上記第二インフレータ筐体は金属で作られており、該第二インフレータ筐体は上記圧力管および上記仕切りに磁気成形によって取り付けられている、請求項１３に記載の方法。
【請求項１５】
上記発火装置本体および上記圧力管仕切りは、金属から形成されており、溶接によって上記圧力管に固定されている、請求項１４に記載の方法。
【請求項１６】
第一開放端部を有する第一気体発生部分および第二開放端部を有する気体貯蔵部分を備えている細長い圧力管と、
第一始動体および第一気体発生エネルギー体を内部に備えている上記第一気体発生部分であって、該始動体は、上記第一端部で上記圧力管を閉じるために該圧力管に固定された発火装置本体に取り付けられている上記第一気体発生部分と、
上記圧力管の上記第二端部に固定されており、貫通した開口部と該開口部を閉じるために該開口部に取り付けられた第一破裂板とを備える圧力管仕切りと、
所定の圧力の不活性気体を内部に含む上記気体貯蔵部分と、
上記仕切り開口部と通じている複数の排気口を備え、上記圧力管および上記仕切りに固定されているマニホールドと、
を含む、エアバッグまたは他の安全制止装置のためのインフレータ。
【請求項１７】
破片ふるい網は、上記圧力管仕切りの外部に取り付けられ、上記仕切り開口部と通じており、上記マニホールド排気口は、該破片ふるい網を取り囲むように配置されている、請求項１６に記載のインフレータ。
【請求項１８】
閉塞座金は、上記圧力管仕切りの内部に取り付けられ、上記仕切り開口部と一直線上に並んでいる貫通した穴部を備えており、上記第一破裂板は、上記閉塞座金穴部と上記仕切り開口部との間に配置されている、請求項１６に記載のインフレータ。
【請求項１９】
上記圧力管は、上記第一気体発生部分および上記気体貯蔵部分を規定しているへこみを備えている、請求項１６に記載のインフレータ。
【請求項２０】
上記圧力管および上記マニホールドは、金属から形成されており、上記マニホールドは、磁気成形によって上記圧力管および上記仕切りに取り付けられている、請求項１６に記載のインフレータ。
【発明の詳細な説明】
【０００１】
［発明の背景］
［発明の分野］
本発明は一般的にエアバッグまたは他の安全制止装置（safety restraint device）のためのインフレータ（inflator）に関するものであり、より詳細には、必要に応じて様々な速度や段階で気体を放出することのできる、小型多段階出力のハイブリッド式／発火式インフレータに関するものであり、これによりエアバッグまたは別の型の膨張式安全制止装置を様々なセンサー入力に応じて様々な出力段階で展開することが可能となる。
【０００２】
［従来の技術の説明］
近年、乗員の大きさ、位置、シートベルトの着用および衝突時における車両の速度のような可変数に応じて、エアバッグ制限システムのような安全装置の膨張率と膨張量とを制御することが要求されている。
【０００３】
最適な乗員の保護を提供するために、エアバッグのインフレータからの様々な段階の出力が必要とされている。例えば、大柄でシートベルトを着用していない人が高速度で衝突した場合、最良の制止を提供するためにはエアバッグが最大速度で膨張することが必要である。小柄な乗員または席に着いていない乗員が低速度で衝突した場合は、不注意に乗員を傷つけないよう、しかしなお、適切な制止をもたらすのに十分な膨張を提供するように、より緩やかな低速度での膨張が必要とされている。
【０００４】
多段階式または様々な出力機能を意図した、現在利用可能なエアバッグのインフレータにおいて、主に、１つのマニホールドを共有している同型の2つの個別のインフレータを備えるか、あるいは、１つの共通マニホールドを共有している共通圧力管に個別の推進薬室（propellant chamber）を備えることによって、上記インフレータの性能を達成するようになっている。
【０００５】
例として、ハイブリッド式の2つの個別のインフレータを利用した場合、ほぼ全ての部品が重複するため、結果として大きくて重く、かつ高価な造形を生じることになる。例えば、余分な仕切りや密閉部、そしてある場合には拡散器やマニホールドを備える2つの別々の圧力管が存在することになる。さらに、2つのインフレータを共通の基盤に取り付けるという、さらなる要求があるため、今度は製造工程の高価格化、高重量化、複雑化につながる。
【０００６】
1つの共通圧力管に封入された個別の推進薬室を備える第二のアプローチは、部品が2つの推進装薬に共有されている場合、より効率的な充填および価格の低下をもたらす。様々な段階の膨張を達成するために、Trowbridgeらによる米国特許第3,773,353号では、2つの別々の推進薬を提供しており、遅い膨張が必要なときには1つだけ点火し、高速度で衝突したときには両方を点火することによって、非常に迅速な膨張と前記の状況下で必要とされるエアバッグの展開とを達成することができる。この装置では、無毒な気体が加圧充填された筐体に、2つの装薬が配置されている。この筐体は破裂板によって密封されており、当該破裂板は、2つのうち最初の装薬が爆発したときにピストン形式および棒状の配列によって打ち抜かれる。しかし、この配列は比較的複雑で、それゆえ比較的高価であるという欠点がある。例として、少なくとも3つの破裂板の配列が必要とされる。また、装薬は内部筐体とそれぞれの破裂可能な仕切りによって貯蔵器と貯蔵気体からそれぞれ隔離されている。
【０００７】
Allemannによる米国特許第3,905,515号によって、2つの別々の装薬を使用し、無毒な気体が加圧貯蔵された部屋に装薬を配置した、別の多段階式インフレータの組立品が公開された。しかしながら、この配列は米国特許第3,773,353号のものよりもさらに複雑である。この配列において、2つの装薬のうち1つあるいは両方の装薬が爆発した後に気体の流出を部分的に抑えるために、破裂板の部分は、排気通路に発射し得るスライド可能シャトル弁部品の先端部を形成している。
【０００８】
従って、エアバッグなどのための、価格効率が良く、軽量で、小型の、そして単純な多段階式インフレータが必要とされている。本発明における新規の改良された多段階式インフレータは上記の要求を満たすものである。
【０００９】
［発明の概要］
従って、本発明の目的は、従来技術の欠点を克服し、そして、操作において信頼でき、価格効率が良く、軽量で、小型で、かつ単純な多段階式インフレータを提供することである。
【００１０】
本発明のさらなる目的は、2つの気体発生器を備える多段階式インフレータを提供することであり、衝突などから生じるセンサー入力に従って様々な速度でエアバッグを膨張させるために、前記インフレータは個別に、同時に、または連続的に前記気体発生器を点火することができる。
【００１１】
本発明のさらなる目的は、ハイブリッド式気体発生器およびあらゆる発火式気体発生器ための共通圧力管を利用した多段階式インフレータを提供することである。
【００１２】
さらに本発明における別の目的は、組み立て品の価格および大きさを最小限に抑えるために、構造が単純で、組み立てが容易な多段階式インフレータを提供することである。
【００１３】
本発明における上記または他の目的は、互いに隔離されている第一のハイブリッド式気体発生器および第二のあらゆる発火式気体発生器のための共通圧力管を備えるエアバッグのような車両安全制止装置を膨張させるための多段階式膨張装置を提供することによって達成される。本発明の範囲においては、どちらの気体発生器も第一気体発生器として採用することができる。エアバッグを膨張させるために、第一および第二気体発生器からの気体が共通マニホールドに導かれる。単一の多段階式インフレータにおいて、ハイブリッド式気体発生器とあらゆる発火式気体発生器との組み合わせは、大きさおよび価格を最小限に抑えることができる。また、上記多段階式インフレータを組み立てるために、構造が単純であることから、磁気成形（magnetic forming）、スェージング（swaging）、圧接、および溶接のような単純な組み立て方法を使用することができる。
【００１４】
［図の簡単な説明］
図１は、本発明における多段階式インフレータの第一実施形態を示す側方からの断面立面図である。図２は、単段階式作動用に組み立てた本発明におけるインフレータの第二実施形態を示す側方からの断面立面図である。
【００１５】
［好ましい実施形態の説明］
図１は本発明における多段階式エアバッグインフレータ１０の第一実施形態を説明したものである。インフレータ１０は、鋼またはアルミニウムなどのような任意の適切な材料から形成された細長い圧力管１２を備える。鋼またはアルミニウムなどのような任意の適切な材料から形成され、第一始動体１６を支える発火装置本体１４は、摩擦圧接点１８によるような任意の適切な方法で上記圧力管１２の第一端部に取り付けられている。圧力管１２は、中央部分付近にへこみ２０を備えて形成されており、前記へこみは、輪状のへこみ、あるいはディンプル（dimple）のような多数の個別のへこみの形状をとることが可能である。へこみ２０は、当該へこみと始動体１６との間にある圧力管の第一気体発生部分２２と、へこみ２０と圧力管１２の第二端部または反対端部との間のある第二気体貯蔵部分２４とを規定する役目を果たす。
【００１６】
圧力管の第一気体発生部分２２には、へこみ２０に隣接した支持リング２６と、支持リングに隣接した第一粒子吸着部（grain trap）２８とが取り付けられており、前記第一粒子吸着部は前記支持リング２６と係合する輪状フランジの付いた開口部のある主要部を備えている。気体生成のための任意の適切な組成物から形成された粒剤のような、任意の適切な構造を有する第一気体発生エネルギー体３０は、粒子吸着部２８の開口部のある主要部に隣接した圧力管１２の上記第一部分２２に配置されている。また、気体発生粒剤３０は、任意の適切な型の袋３２に包まれていてもよいし、袋などに包まれずに、第一粒子吸着部２８に隣接した圧力管部分２２内に解放されて収容されていてもよい。また、前記第一エネルギー体３０は、固体粒子などの形態であってもよい。
【００１７】
粒子吸着部２８とは反対側の第一粒状エネルギー体３０の側面には、補助推進薬（booster charge）３６を封入しているエネルギー体カップ３４が備えられている。エネルギー体カップ３４は、始動体１６に隣接した穴の開いた末端部分と共に提供されている。固定クリップ３８または類似品は、エネルギー体カップ３４の輪状フランジと前記圧力管１２の周辺部分とを係合させており、これによって、第一エネルギー体３０を封入するために、前記粒子吸着部２８と間隔を開けた所定の位置に、エネルギー体カップ３４を固定している。
【００１８】
鋼、またはアルミニウムなど任意の適切な材料で形成された圧力管仕切り４０は、摩擦溶接点４２によるなどの任意の適切な方法により、圧力管１２の反対の端部または第二端部に取り付けられている。圧力管仕切り４０は、貫通した開口部４４と閉塞座金４６とを備え、前記閉塞座金は、前記圧力管１２の第二気体貯蔵部分２４に隣接した前記仕切りの内端部に存在する拡大された凹所に取り付けられている。閉塞座金４６は所定の位置に圧接または溶接されており、上記圧力管仕切り４０の開口部４４よりも小さい中央開口部４８を有する。閉鎖座金４６と圧力管仕切り開口部４４との間に任意の適切な構造の第一破裂板５０が配列されており、前記破裂板は圧力管仕切り４０とレーザー溶接されてもよい。上記圧力管仕切り４０の外端部は輪状フランジ５２を備えており、前記フランジには穴の開いた破片ふるい網またはフィルター５４が取り付けられている。
【００１９】
圧力管１２の第一気体発生部分２２および第二気体貯蔵部分２４は、所定の圧力下で、アルゴンとヘリウムとの混合気体のような不活性気体で満たされている。任意の適切な不活性気体または混合気体を用いることができる。従って、圧力管１２は、ハイブリッド式の第一気体発生装置を封入している。
【００２０】
あらゆる発火式の第二気体発生器６０は、鋼またはアルミニウムなどの任意の適切な材料から形成された筐体６２を備えており、磁気成形または圧接などにより、内端部で圧力管仕切り４０と圧力管１２に取り付けられている。磁気成形は、ロール圧接（roll crimp）と同様に、金属を動かすために電磁場を使用する。
【００２１】
第二気体発生装置用筐体６２は、複数の間隔の開いた開口部６４を有する分岐管部を備え、前記開口部６４は、破片ふるい網５４を取り囲んでおり、エアバッグ（図示せず）または他の膨張装置と通じている。閉塞板６６は筐体６２の中に取り付けられており、破片ふるい網５４の外端部に隣接して配列されている。閉塞板６６は穴部６８を有し、前記穴部は、前記閉塞板の外側または内側に取り付けられた、任意の適切な構造の第二破裂板７０によって閉じられている。第二粒子吸着部７２は、閉塞板６６の外側に存在する第二気体発生装置用筐体６２内に設置されており、開口部のある主要部と、閉塞版と係合した輪状フランジとを備えている。気体発生粒剤の形状をとった第二気体発生エネルギー体７４は、第二粒子吸着部７２の開口部のある主要部に隣接した筐体６２に配置されており、好ましくは防湿袋７６で封入されている。第二エネルギー体は、任意の適切な構造または組成を取って良い。第二始動体７８は筐体６２の外端部に取り付けられており、筐体６２の第二エネルギー体７４に隣接して配置されている。
【００２２】
本発明のインフレータ１０の組み立て品において、支持リング２６、第一粒子吸着部２８、第一エネルギー体３０、補助推進薬３６の入ったエネルギー体カップ３４、および固定クリップ３８は、圧力管１２の気体発生部分２２の第一端部内に挿入されて、所定の位置に固定されている。圧力管１２のへこみ２０は、これらの構成部品が圧力管１２の気体発生部分２２の中で適切に位置することを保証している。そして、始動体１６が取り付けられた発火装置本体１４は、圧力管１２の第一端部に固定されている。
【００２３】
気体発生部分２２の構成部品を組み立てる前、または後、もしくは組み立てと同時に、閉塞座金４６、第一破裂板５０、および破片ふるい網５４が取り付けられた圧力管仕切り４０は、気体貯蔵部分２４に隣接した圧力管１２の第二端部または反対端部に固定されている。圧力管１２の第一気体発生部分２２および気体貯蔵部分２４は、発火装置本体１４または任意の適切な位置の注入口（図示せず）を通じて、所定の圧力の混合不活性気体で満たされている。
【００２４】
前述した第二気体発生構成部品を含む第二気体発生器筐体６２の内側開放端部は、上記の様式で圧力管仕切り４０および圧力管１２を覆うように配置され、固定されている。尚、インフレータ１０は、単純な構造をしているため、ハイブリッド式／あらゆる発火式の多出力インフレータに容易に組み立てられ、その大きさは最小限に抑えられる。
【００２５】
第一エネルギー体３０、補助推進薬３６、および第二エネルギー体７４に使用される気体発生組成物の種類は、インフレータ１０の複数出力作動の目的によって決まる。当業者の知識の範囲内における任意の適切な気体発生組成物を使用することができる。
【００２６】
インフレータ１０の１つの作動において、車両の衝突などを感知したことを受けて、第一始動体１６が発火して補助推進薬３６および第一エネルギー体３０に火をつけ、第一燃焼気体を発生させる。そして、前記燃焼気体は、第一粒子吸着部２８を通過し、加圧された不活性混合気体を含む気体貯蔵部２４に入る。第一燃焼気体による不活性混合気体の更なる加圧は第一破裂板５０の破損を引き起こし、前記の加圧された気体は、閉塞座金４６の穴部４８と、圧力管仕切り４０の開口部４４と、そして第二気体発生器筐体６２の破片ふるい網５４とマニホールド開口部６４とを通って出て行き、エアバッグを膨張させる（図示せず）。
【００２７】
第一ハイブリッド式気体発生器が作動してエアバッグが膨張した後、第二始動体７４が発火して第二エネルギー体７４に火をつけて第二気体を発生させる。そして、前記気体は、第二粒子吸着部７２を通過して第二破裂板７０を破裂させ、圧力管１２の破片ふるい網５４と気体貯蔵部２４に入る。この方法において、圧力管１２の気体貯蔵部分２４に上記第二気体が充満する役目を果たすように、あらゆる発火式の第二エネルギー体がエアバッグの再膨張を最小限に抑えるような様式で配置されている。
【００２８】
エアバッグの様々な膨張速度や段階を確立するために、車両の衝突ならびに乗員の大きさおよび位置のような可変数の性質に依存して、第二エネルギー体７４は、単独で、もしくは第一エネルギー体の発火と同時に、あるいは前記発火の前または後の順番で発火してもよい。あらゆる発火式第二エネルギー体７４の燃焼気体および圧力管１２の気体貯蔵部分２４からの加圧された不活性気体は共に、エアバッグを膨張させるために第二筐体６２のマニホールド開口部６４から出て行く前に破片ふるい網５４に入るために、前記第二エネルギー体７４の燃焼気体は前記不活性気体によって冷却される。
【００２９】
図２は、単段階式膨張用に改変したインフレータ１０の第二実施形態を示したものである。第二実施形態において、前記圧力管１２内に取り付けられ、固定されているハイブリッド式第一インフレータは、図１に示された第一実施形態と実質的に同一である。あらゆる発火式の第二気体発生器６０の代わりに、破片ふるい網５４を取り囲む排気口８２を有するマニホールド８０が、磁気成形などによって圧力管仕切り４０および圧力管１２に取り付けられている。マニホールド８０は外端部に取付金具８４などを備えている。従って、目的のインフレータ１０は、単純な構造のため、多段階式または単段階式の作動用に容易に組み立てられる。
【００３０】
現在最も実用的で好ましいとみなされる実施形態と関連させて本発明を記述したが、本発明は、開示された実施形態に限定されるものではなく、一方で、添付された請求項の精神および範囲内に含まれる様々な改変や同等のアレンジにも及ぶように意図したものである。
【図面の簡単な説明】
【００３１】
【図１】本発明における多段階式インフレータの第一実施形態を示す側方からの断面立面図である。
【図２】単段階式操作用に組み立てた本発明におけるインフレータの第二実施形態を示す側方からの断面立面図である。
【図１】
2004538205.tif 000003
【図２】
2004538205.tif 000004
【国際公開パンフレット】
2004538205.tif 000005
2004538205.tif 000006
2004538205.tif 000007
2004538205.tif 000008
2004538205.tif 000009
2004538205.tif 000010
2004538205.tif 000011
2004538205.tif 000012
2004538205.tif 000013
2004538205.tif 000014
2004538205.tif 000015
2004538205.tif 000016
2004538205.tif 000017
2004538205.tif 000018
2004538205.tif 000019
【国際公開パンフレット（コレクトバージョン）】
2004538205.tif 000020
2004538205.tif 000021
【国際公開パンフレット（コレクトバージョン）】
2004538205.tif 000022
2004538205.tif 000023
【手続補正書】
【提出日】平成15年7月9日(2003.7.9)
【手続補正１】
【補正対象書類名】特許請求の範囲
【補正対象項目名】全文
【補正方法】変更
【補正の内容】
【特許請求の範囲】
【請求項１】
第一開放端部を有する気体発生部分および第二開放端部を有する気体貯蔵部分を備える細長い圧力管と、
上記圧力管の第一開放端部に固定されて上記圧力管を閉じている発火装置本体に取り付けられた第一始動体と上記第一気体発生部分とを内部に備える上記第一気体発生部分と、
貫通した開口部と該開口部を閉じるために該開口部に取り付けられた第一破裂板とを備え、上記圧力管の上記第二端部に取り付けられた圧力管仕切りと、
所定の圧力で不活性気体を内部に含む上記気体貯蔵部分と、
上記第二端部で上記圧力管および上記仕切りに取り付けられたあらゆる発火技術式の第二インフレータであって、該第二インフレータは、第二始動体と第二気体発生エネルギー体とを内部に含む第二筐体、および上記第二エネルギー体と上記圧力管仕切りとの間に位置する閉塞板を備え、該閉塞板は、貫通した開口部と該開口部を閉じるために該開口部に取り付けられた第二破裂板とを備えているインフレータと、を含み、
上記圧力管は、上記第一気体発生部分と上記気体貯蔵部分とを規定しているへこみを備えており、
上記第一気体発生部分は、上記へこみと係合している支持リングと、該支持リングに隣接して配置され、上記第一エネルギー体に隣接した開口部のある主要部を有する第一粒子吸着部とを内部に備えている、
エアバッグまたは他の安全制止装置のための多段階式インフレータ。
【請求項２】
上記第一粒子吸着部とは反対側の上記第一エネルギー体の側面にある上記第一気体発生部分に配置され、上記始動体と隣接している補助推進薬と、
該補助推進薬、上記第一エネルギー体、上記第一粒子吸着部、および上記支持リングを内部の所定の位置に保持するために、上記気体発生部分の上記圧力管の隣接面と係合している保持クリップと、
を備えている、請求項１に記載のインフレータ。
【請求項３】
破片ふるい網は、上記圧力管仕切りの外端部に固定されていて、上記仕切り開口部と通じている、請求項１に記載のインフレータ。
【請求項４】
上記圧力管、上記仕切り、および上記第二インフレータ筐体は金属から形成されており、該第二インフレータ筐体は、磁気成形によって上記圧力管および上記仕切りに固定されている、請求項１に記載のインフレータ。
【請求項５】
第一開放端部を有する気体発生部分および第二開放端部を有する気体貯蔵部分を備える細長い圧力管と、
上記圧力管の第一開放端部に固定されて上記圧力管を閉じている発火装置本体に取り付けられた第一始動体と上記第一気体発生部分とを内部に備える上記第一気体発生部分と、
貫通した開口部と該開口部を閉じるために該開口部に取り付けられた第一破裂板とを備え、上記圧力管の上記第二端部に取り付けられた圧力管仕切りと、
所定の圧力で不活性気体を内部に含む上記気体貯蔵部分と、
上記第二端部で上記圧力管および上記仕切りに取り付けられたあらゆる発火技術式の第二インフレータであって、該第二インフレータは、第二始動体と第二気体発生エネルギー体とを内部に含む第二筐体、および上記第二エネルギー体と上記圧力管仕切りとの間に位置する閉塞板を備え、該閉塞板は、貫通した開口部と該開口部を閉じるために該開口部に取り付けられた第二破裂板とを備えているインフレータと、を含み、
開口部のある第二粒子吸着部は、上記第二エネルギー体と上記閉塞板との間にある上記第二筐体内に配置されている、
エアバッグまたは他の安全制止装置のための多段階式インフレータ。
【請求項６】
上記第二インフレータ筐体は、上記圧力管仕切り開口部と通じ、複数の貫通した排気口を有しているマニホールド部分を備えている、請求項１に記載のインフレータ。
【請求項７】
第一開放端部を有する気体発生部分および第二開放端部を有する気体貯蔵部分を備える細長い圧力管と、
上記圧力管の第一開放端部に固定されて上記圧力管を閉じている発火装置本体に取り付けられた第一始動体と上記第一気体発生部分とを内部に備える上記第一気体発生部分と、
貫通した開口部と該開口部を閉じるために該開口部に取り付けられた第一破裂板とを備え、上記圧力管の上記第二端部に取り付けられた圧力管仕切りと、
所定の圧力で不活性気体を内部に含む上記気体貯蔵部分と、
上記第二端部で上記圧力管および上記仕切りに取り付けられたあらゆる発火技術式の第二インフレータであって、該第二インフレータは、第二始動体と第二気体発生エネルギー体とを内部に含む第二筐体、および上記第二エネルギー体と上記圧力管仕切りとの間に位置する閉塞板を備え、該閉塞板は、貫通した開口部と該開口部を閉じるために該開口部に取り付けられた第二破裂板とを備えているインフレータと、を含み、
上記破片ふるい網は、上記圧力管仕切りの外端部に固定されていて、上記仕切り開口部と通じており、上記閉塞板は、上記破片ふるい網の外端部と係合しており、上記第二インフレータ筐体は、上記破片ふるい網を取り囲み、該破片ふるい網に通じている複数の排気口を有するマニホールド部分を備えている、
エアバッグまたは他の安全制止装置のための多段階式インフレータ。
【請求項８】
上記閉塞板穴部は、実質的に上記圧力管仕切り開口部と一直線上に並んでいる、請求項１に記載のインフレータ。
【請求項９】
上記第二エネルギー体は防湿袋に封入されている、請求項１に記載のインフレータ。
【請求項１０】
第一開放端部を有する気体発生部分および第二開放端部を有する気体貯蔵部分を備える細長い圧力管と、
上記圧力管の第一開放端部に固定されて上記圧力管を閉じている発火装置本体に取り付けられた第一始動体と上記第一気体発生部分とを内部に備える上記第一気体発生部分と、
貫通した開口部と該開口部を閉じるために該開口部に取り付けられた第一破裂板とを備え、上記圧力管の上記第二端部に取り付けられた圧力管仕切りと、
所定の圧力で不活性気体を内部に含む上記気体貯蔵部分と、
上記第二端部で上記圧力管および上記仕切りに取り付けられたあらゆる発火技術式の第二インフレータであって、該第二インフレータは、第二始動体と第二気体発生エネルギー体とを内部に含む第二筐体、および上記第二エネルギー体と上記圧力管仕切りとの間に位置する閉塞板を備え、該閉塞板は、貫通した開口部と該開口部を閉じるために該開口部に取り付けられた第二破裂板とを備えているインフレータと、を含み、
上記圧力管仕切りは、上記仕切り開口部と一直線上の貫通した穴部を有する閉塞座金をさらに備えており、上記第一破裂板は、上記閉塞座金穴部と上記仕切り開口部との間に配置されている、
エアバッグまたは他の安全制止装置のための多段階式インフレータ。
【請求項１１】
第一開放端部を有する第一気体発生部分および第二開放端部を有する気体貯蔵部分を規定するためのへこみを中央部付近に備えている細長い圧力管を提供する工程と、
上記へこみと隣接した上記第一気体発生部分に、支持リングおよび第一粒子吸着部を挿入する工程と、
上記粒子吸着部と隣接した上記第一気体発生部分に第一気体発生エネルギー体を挿入する工程と、
内端部に始動体が取り付けられている発火装置本体を上記圧力管の上記第一開放端部に固定する工程と、
上記第一エネルギー体および上記発火装置本体の組み立ての前、または後、もしくは組み立てと同時に、上記圧力管の第二開放端部に圧力管仕切りを取り付ける工程であって、該圧力管仕切りは、貫通した開口部と、該開口部を閉じるために該開口部に固定された第一破裂板とを備える工程と、
あらゆる発火技術式の第二インフレータを上記仕切りおよび上記圧力管に固定する工程であって、該第二インフレータは、内部に第二始動体および第二気体発生エネルギー体を有する第二筐体と、上記第二エネルギー体と上記圧力管仕切りとの間に配置された閉塞板とを備えており、該閉塞板は、貫通した穴部と、該穴部を閉じるために該穴部に固定された第二破裂板とを有する工程と、
を含む、エアバッグまたは他の安全制止装置のための多段階式インフレータを形成する方法。
【請求項１２】
上記圧力管および上記第二インフレータ筐体は金属で作られており、該第二インフレータ筐体は上記圧力管および上記仕切りに磁気成形によって取り付けられている、請求項１１に記載の方法。
【請求項１３】
上記発火装置本体および上記圧力管仕切りは、金属から形成されており、溶接によって上記圧力管に固定されている、請求項１２に記載の方法。
【請求項１４】
第一開放端部を有する第一気体発生部分および第二開放端部を有する気体貯蔵部分を備えている細長い圧力管と、
第一始動体および第一気体発生エネルギー体を内部に備えている上記第一気体発生部分であって、該始動体は、上記第一端部で上記圧力管を閉じるために該圧力管に固定された発火装置本体に取り付けられている上記第一気体発生部分と、
上記圧力管の上記第二端部に固定されており、貫通した開口部と該開口部を閉じるために該開口部に取り付けられた第一破裂板とを備える圧力管仕切りと、
所定の圧力の不活性気体を内部に含む上記気体貯蔵部分と、
上記仕切り開口部と通じている複数の排気口を備え、上記圧力管および上記仕切りに固定されているマニホールドと、を含み、
上記仕切り開口部と一直線上の貫通した穴部を備える閉塞座金が、上記圧力管仕切りの内部に取り付けられており、上記閉塞座金穴部と上記仕切り開口部との間に上記第一破裂板が配置されている、
エアバッグまたは他の安全制止装置のためのインフレータ。
【請求項１５】
破片ふるい網は、上記圧力管仕切りの外部に取り付けられ、上記仕切り開口部と通じており、上記マニホールド排気口は、該破片ふるい網を取り囲むように配置されている、請求項１４に記載のインフレータ。
【請求項１６】
上記圧力管は、上記第一気体発生部分および上記気体貯蔵部分を規定しているへこみを備えている、請求項１４に記載のインフレータ。
【請求項１７】
上記圧力管および上記マニホールドは、金属から形成されており、上記マニホールドは、磁気成形によって上記圧力管および上記仕切りに取り付けられている、請求項１４に記載のインフレータ。
【国際調査報告】
2004538205.tif 000024
2004538205.tif 000025